(57)【要約】【課題】特定の周波数帯域のサージノイズを効果的に低減することが可能なノイズフィルタ付き導電路を提供する。【解決手段】ノイズフィルタ付き導電路Ａは、導電路本体（Ｕ相線１２ｕ、Ｖ相線１２ｖ、Ｗ相線１２ｗ）と、各相線１２ｕ，１２ｖ，１２ｗを包囲する絶縁層１３ｕ，１３ｖ，１３ｗと、絶縁層１３ｕ，１３ｖ，１３ｗの外周面と対応するように設けたノイズフィルタ１５ｕ、１５ｖ、１５ｗとを備える。ノイズフィルタ１５ｕ，１５ｖ，１５ｗは、絶縁層１３ｕ，１３ｖ，１３ｗを挟んで各相線１２ｕ、１２ｖ、１２ｗと対応するように配され、各相線１２ｕ、１２ｖ、１２ｗとの間にコンデンサ１６ｕ、１６ｖ、１６ｗを構成する導体層１７と、導体層１７の外周に重ねられてインダクタ２２ｕ、２２ｖ、２２ｗを構成する磁性体層２０とを備える。【選択図】図１
2017022517.tif 000002
【特許請求の範囲】
【請求項１】
導電路本体と、
前記導電路本体を包囲する絶縁層と、
前記絶縁層の外周面と対応するように設けたノイズフィルタとを備え、
前記ノイズフィルタは、
前記絶縁層を挟んで前記導電路本体と対応するように配され、前記導電路本体との間にコンデンサを形成する導体層と、
前記導体層の外周に重ねられてインダクタを構成する磁性体層とを備えていることを特徴とするノイズフィルタ付き導電路。
【請求項２】
前記ノイズフィルタが、テープ状をなしていて前記導電路本体に螺旋状に巻き付けられていることを特徴とする請求項１記載のノイズフィルタ付き導電路。
【請求項３】
前記導体層には、その一方の側縁部から延出して前記磁性体層の側縁部の外面を覆う折返部が形成されており、
前記折返部の外面に対し、前記導体層における前記折返部とは反対側の側縁部の内面が重なった状態で接触していることを特徴とする請求項２記載のノイズフィルタ付き導電路。
【発明の詳細な説明】
【技術分野】
【０００１】
本発明は、ノイズフィルタ付き導電路に関するものである。
【背景技術】
【０００２】
特許文献１には、電動車両のモータとインバータ装置との間に三相交流電線からなるワイヤーハーネスを配索し、そのワイヤーハーネスにおけるノイズ対策として、ワイヤーハーネスを編組線で包囲し、編組線の両端をモータのシールドケースとインバータ装置のシールドケースとに接続する技術が記載されている。このように、ワイヤーハーネスを編組線でシールドすれば、モータ、インバータ装置、ワイヤーハーネスから放出されるノイズが、周辺の機器や回路に影響を及ぼすことを防止できる。
【先行技術文献】
【特許文献】
【０００３】
【特許文献１】特開２０１０−１２６０４３号公報
【発明の概要】
【発明が解決しようとする課題】
【０００４】
しかし、ワイヤーハーネスを編組線で包囲する方法では、インバータ装置で発生した特定周波数帯域のサージノイズを効果的に低減することは難しい。  
本発明は上記のような事情に基づいて完成されたものであって、特定の周波数帯域のサージノイズを効果的に低減することが可能なノイズフィルタ付き導電路を提供することを目的とする。
【課題を解決するための手段】
【０００５】
本発明は、
導電路本体と、
前記導電路本体を包囲する絶縁層と、
前記絶縁層の外周面と対応するように設けたノイズフィルタとを備え、
前記ノイズフィルタは、
前記絶縁層を挟んで前記導電路本体と対応するように配され、前記導電路本体との間にコンデンサを形成する導体層と、
前記導体層の外周に重ねられてインダクタを構成する磁性体層とを備えているところに特徴を有する。
【発明の効果】
【０００６】
導体層の長さ、導体層と導電路本体との対応面積、導体層と導電路本体との距離、絶縁層の材質等を適宜選定してコンデンサの静電容量を設定し、磁性体層の材質、長さ、厚さ等を適宜選定してインダクタのインダクタンスを設定すれば、ＬＣ共振により特定の周波数帯域のサージノイズを効果的に低減することができる。
【図面の簡単な説明】
【０００７】
【図１】実施例１のノイズフィルタ付き導電路の構成図
【図２】図１のＸ−Ｘ線断面図
【図３】ノイズフィルタの構造をあらわす断面図
【図４】実施例２のノイズフィルタ付き導電路の構成図
【図５】実施例２のノイズフィルタの断面図
【図６】実施例３のノイズフィルタ付き導電路の構成図
【図７】実施例３のノイズフィルタの断面図
【図８】実施例４のノイズフィルタ付き導電路の構成図
【図９】実施例４のノイズフィルタの断面図
【発明を実施するための形態】
【０００８】
（ａ）本発明は、前記ノイズフィルタが、テープ状をなしていて前記導電路本体に螺旋状に巻き付けられていてもよい。  
この構成によれば、ノイズフィルタで導電路本体を包囲する範囲が長い場合でも、テープ状のノイズフィルタを螺旋状に巻き付けるだけでよいので、作業性に優れている。また、ノイズフィルタをテープ状としたことにより、導電路本体の屈曲変形に対応することが可能である。
【０００９】
（ｂ）本発明は、（ａ）において、前記導体層には、その一方の側縁部から延出して前記磁性体層の側縁部の外面を覆う折返部が形成されており、前記折返部の外面に対し、前記導体層における前記折返部とは反対側の側縁部の内面が重なった状態で接触していてもよい。  
この構成によれば、ノイズフィルタを螺旋巻きした状態で導体層同士を確実に接触させることができる。
【００１０】
＜実施例１＞
以下、本発明を具体化した実施例１を図１〜図３を参照して説明する。本実施例１のノイズフィルタ付き導電路Ａは、電気自動車又はハイブリッド自動車等の電動車両（図示省略）に搭載されたモータ３０とインバータ装置３４との間に配索されるものである。この電動車両において、モータ３０の筐体であるモータケース３１と、インバータ装置３４の筐体であるインバータケース３５と、両ケース３１，３４を接続するシールド層２３は、筐体アース３６を構成している。ノイズフィルタ付き導電路Ａは、三相交流回路１０を構成するＵ相線１２ｕ（請求項に記載の導電路本体）、Ｖ相線１２ｖ（請求項に記載の導電路本体）、Ｗ相線１２ｗ（請求項に記載の導電路本体）と、サージ低減用のＵ相用ノイズフィルタ１５ｕ（請求項に記載のノイズフィルタ）と、サージ低減用のＶ相用ノイズフィルタ１５ｖ（請求項に記載のノイズフィルタ）と、サージ低減用のＷ相用ノイズフィルタ１５ｗ（請求項に記載のノイズフィルタ）と、シールド層２３とを備えて構成されている。
【００１１】
Ｕ相線１２ｕ、Ｖ相線１２ｖ及びＷ相線１２ｗは、いずれも、金属（銅、銅合金、アルミニウム、アルミニウム合金等）製の撚り線や単芯線からなる。Ｕ相線１２ｕの外周は、合成樹脂製のＵ相用絶縁被覆１３ｕ（請求項に記載の絶縁層）によって包囲されている。Ｖ相線１２ｖの外周は、合成樹脂製のＶ相用絶縁被覆１３ｖ（請求項に記載の絶縁層）によって包囲されている。Ｗ相線１２ｗの外周は、合成樹脂製のＷ相用絶縁被覆１３ｗ（請求項に記載の絶縁層）によって包囲されている。つまり、Ｕ相線１２ｕとＵ相用絶縁被覆１３ｕは１本のＵ相被覆電線１１ｕを構成する。Ｖ相線１２ｖとＶ相用絶縁被覆１３ｖは１本のＶ相被覆電線１１ｖを構成する。Ｗ相線１２ｗとＷ相用絶縁被覆１３ｗは１本のＷ相被覆電線１１ｗを構成する。
【００１２】
Ｕ相線１２ｕ、Ｖ相線１２ｖ及びＷ相線１２ｗは、並行するように配索されている。Ｕ相線１２ｕ、Ｖ相線１２ｖ及びＷ相線１２ｗの一方の端部は、インバータ装置３４のインバータ回路（図示省略）に接続されている。インバータ回路は、シールド機能を有する導電性のインバータケース３５の内部に収容されている。Ｕ相線１２ｕ、Ｖ相線１２ｖ及びＷ相線１２ｗの他方の端部は、モータ３０の巻線（図示省略）に接続されている。巻線は、シールド機能を有する導電性のモータケース３１の内部に収容されている。
【００１３】
Ｕ相用ノイズフィルタ１５ｕは、Ｕ相用コンデンサ１６ｕ（請求項に記載のコンデンサ）の電極とＵ相用インダクタ２２ｕ（請求項に記載のインダクタ）とを備えて構成されている。具体的には、Ｕ相用コンデンサ１６ｕの電極を構成する導体層１７と、Ｕ相用インダクタ２２ｕを構成する磁性体層２０とを一体化し、一定幅のテープ状としたものである。
【００１４】
Ｖ相用ノイズフィルタ１５ｖも、Ｕ相用ノイズフィルタ１５ｕと同様、Ｖ相用コンデンサ１６ｖ（請求項に記載のコンデンサ）の電極とＶ相用インダクタ２２ｖ（請求項に記載のインダクタ）とを備えて構成されている。具体的には、Ｖ相用コンデンサ１６ｖの電極を構成する導体層１７と、Ｖ相用インダクタ２２ｖを構成する磁性体層２０とを一体化し、一定幅のテープ状としたものである。
【００１５】
Ｗ相用ノイズフィルタ１５ｗも、Ｕ相用ノイズフィルタ１５ｕ及びＶ相用ノイズフィルタ１５ｖと同様、Ｗ相用コンデンサ１６ｗ（請求項に記載のコンデンサ）の電極とＷ相用インダクタ２２ｗ（請求項に記載のインダクタ）とを備えて構成されている。具体的には、Ｗ相用コンデンサ１６ｗの電極を構成する導体層１７と、Ｗ相用インダクタ２２ｗを構成する磁性体層２０とを一体化し、一定幅のテープ状としたものである。
【００１６】
導体層１７は、例えば銅製、銅合金製、アルミニウム製、アルミニウム合金製等の金属箔からなる。導体層１７は、一定幅のテープ状をなしている。磁性体層２０は、例えばゴム又は樹脂製の可撓性を有する母材に磁性体粉を混入したものであり、導体層１７とほぼ同じ一定幅のテープ状をなす。磁性体層２０は、接着、溶着等の手段により導体層１７の外面に密着している。尚、導体層１７と磁性体層２０は、密着・固着させず、容易に分離したり剥がしたりすることができるようにしてもよい。
【００１７】
導体層１７の両側縁部１７Ｌ，１７Ｒには、磁性体層２０の外側面に沿って外面側へ延出し、更に、磁性体層２０の側縁部２１Ｌ，２１Ｒの外面に沿うように延出した一対の折返部１８Ｌ，１８Ｒが、一体に形成されている。折返部１８Ｌ，１８Ｒも導電性を有している。また、折返部１８Ｌ，１８Ｒも、接着や溶着等の手段によって磁性体層２０に密着している。尚、折返部１８Ｌ，１８Ｒと磁性体層２０は、密着・固着させず、容易に分離したり剥がしたりすることができるようにしてもよい。
【００１８】
テープ状のＵ相用ノイズフィルタ１５ｕは、Ｕ相被覆電線１１ｕ（Ｕ相用絶縁被覆１３ｕ）の外周に接触するように螺旋状に巻き付けられ、Ｕ相線１２ｕを包囲する筒状に成形されている。Ｖ相用ノイズフィルタ１５ｖとＷ相用ノイズフィルタ１５ｗも、Ｕ相用ノイズフィルタ１５ｕ同様、Ｖ相被覆電線１１ｖ（Ｖ相用絶縁被覆１３ｖ）とＷ相被覆電線１１ｗ（Ｗ相用絶縁被覆１３ｗ）の外周に接触するように螺旋状に巻き付けられ、Ｖ相線１２ｖとＷ相線１２ｗを包囲する筒状に成形されている。
【００１９】
各ノイズフィルタ１５ｕ，１５ｖ，１５ｗを螺旋状に巻き付ける際には、導体層１７のうち先に巻き付けられた領域における一方（図３における右側）の側縁部１７Ｒから延出した折返部１８Ｒの外面に対し、後から巻き付けられる領域における他方（図３における左側）の側縁部１７Ｌの内面を重ね合わせるようにして接触させる。このように巻き付ければ、導体層１７のうち先に巻き付けられている領域と、後から巻き付けられる領域との間に隙間が生じることがない。
【００２０】
Ｕ相被覆電線１１ｕ（Ｕ相線１２ｕとＵ相用絶縁被覆１３ｕ）を包囲する導体層１７は、Ｕ相用絶縁被覆１３ｕを挟んでＵ相線１２ｕと近接して対向する位置関係となっている。したがって、Ｕ相被覆電線１１ｕ（Ｕ相線１２ｕとＵ相用絶縁被覆１３ｕ）と導体層１７によってＵ相用コンデンサ１６ｕが構成され、Ｕ相線１２ｕと導体層１７は電極として機能する。
【００２１】
また、Ｖ相被覆電線１１ｖ（Ｖ相線１２ｖとＶ相用絶縁被覆１３ｖ）を包囲する導体層１７は、Ｖ相用絶縁被覆１３ｖを挟んでＶ相線１２ｖと近接して対向する位置関係となっている。したがって、Ｖ相被覆電線１１ｖ（Ｖ相線１２ｖとＶ相用絶縁被覆１３ｖ）と導体層１７によってＶ相用コンデンサ１６ｖが構成され、Ｖ相線１２ｖと導体層１７は電極として機能する。
【００２２】
同様に、Ｗ相被覆電線１１ｗ（Ｗ相線１２ｗとＷ相用絶縁被覆１３ｗ）を包囲する導体層１７は、Ｗ相用絶縁被覆１３ｗを挟んでＷ相線１２ｗと近接して対向する位置関係となっている。したがって、Ｗ相被覆電線１１ｗ（Ｗ相線１２ｗとＷ相用絶縁被覆１３ｗ）と導体層１７によってＷ相用コンデンサ１６ｗが構成され、Ｗ相線１２ｗと導体層１７は電極として機能する。
【００２３】
Ｕ相用ノイズフィルタ１５ｕの外周、Ｖ相用ノイズフィルタ１５ｖの外周、Ｗ相用ノイズフィルタ１５ｗの外周は、いずれも、絶縁性のコーティングや絶縁性の被覆等（図示省略）で覆われている。また、Ｕ相用ノイズフィルタ１５ｕの導体層１７、Ｖ相用ノイズフィルタ１５ｖの導体層１７、Ｗ相用ノイズフィルタ１５ｗの導体層１７は、分岐状の導体層用接続線１９を介して筐体アース３６（モータケース３１）に接続されている。
【００２４】
また、Ｕ相用ノイズフィルタ１５ｕ、Ｖ相用ノイズフィルタ１５ｖ、Ｗ相用ノイズフィルタ１５ｗを、夫々、Ｕ相被覆電線１１ｕ、Ｖ相被覆電線１１ｖ、Ｗ相被覆電線１１ｗに螺旋状に巻き付けると、各磁性体層２０は、夫々、Ｕ相被覆電線１１ｕ、Ｖ相被覆電線１１ｖ、Ｗ相被覆電線１１ｗを個別に包囲するので、Ｕ相用インダクタ２２ｕ、Ｖ相用インダクタ２２ｖ、Ｗ相用インダクタ２２ｗとして機能する。
【００２５】
シールド層２３は、例えば、編組線等からなる金属製の筒状部材である。シールド層２３の一方の端部は、モータ３０の近傍に位置し、モータケース３１３１に導通可能に接続されている。シールド層２３の他方の端部は、インバータ装置３４の近傍に位置し、インバータケース３５に導通可能に接続されている。そして、シールド層２３で包囲された空間は、シールド空間２４となっている。シールド層２３は、Ｕ相被覆電線１１ｕ、Ｖ相被覆電線１１ｖ、Ｗ相被覆電線１１ｗ、Ｕ相用ノイズフィルタ１５ｕ、Ｖ相用ノイズフィルタ１５ｖ、Ｗ相用ノイズフィルタ１５ｗを、一括して包囲する。つまり、シールド空間２４内には、Ｕ相線１２ｕ、Ｖ相線１２ｖ、Ｗ相線１２ｗと、Ｕ相用コンデンサ１６ｕ、Ｖ相用コンデンサ１６ｖ、Ｗ相用コンデンサ１６ｗ、Ｕ相線用インダクタ、Ｖ相用インダクタ２２ｖ、Ｗ相用インダクタ２２ｗが収容されている。
【００２６】
次に、本実施例１の作用を説明する。インバータ装置３４で発生するサージ電圧の周波数を特定したら、導電路本体（Ｕ相線１２ｕ、Ｖ相線１２ｖ及びＷ相線１２ｗ）の長さ方向における導体層１７の形成範囲（つまり、Ｕ相線１２ｕ、Ｖ相線１２ｖ及びＷ相線１２ｗに対する導体層１７の対応面積）、導体層１７と導電路本体（Ｕ相線１２ｕ、Ｖ相線１２ｖ及びＷ相線１２ｗ）との距離、絶縁層（Ｕ相用絶縁被覆１３ｕ、Ｖ相用絶縁被覆１３ｖ、Ｗ相用絶縁被覆１３ｗ）の材質等を適宜選択し、特定した周波数のサージノイズを低減するのに好適な各コンデンサ１６ｕ，１６ｖ，１６ｗの容量を設定する。
【００２７】
また、インダクタ２２ｕ，２２ｖ，２２ｗについても、磁性体粉の材料や量等を適宜選択し、特定した周波数のサージノイズを低減するのに好適なインダクタ２２ｕ，２２ｖ，２２ｗのインダクタンスを設定する。このようにしてコンデンサ１６ｕ，１６ｖ，１６ｗの静電容量とインダクタ２２ｕ，２２ｖ，２２ｗのインダクタンスを設定すると、特定の周波数のサージ電流が、インダクタ２２ｕ，２２ｖ，２２ｗと導体層用接続線１９を経て筐体アース３６（モータケース３１）に流れ、更にシールド層２３を介してインバータ装置３４に戻るためサージノイズが低減される。
【００２８】
本実施例１のノイズフィルタ付き導電路Ａは、Ｕ相線１２ｕ、Ｖ相線１２ｖ及びＷ相線１２ｗと、各相線１２ｕ，１２ｖ，１２ｗを包囲する絶縁層１３ｕ，１３ｖ，１３ｗと、絶縁層１３ｕ，１３ｖ，１３ｗの外周面と個別に対応するように設けたＵ相用ノイズフィルタ１５ｕ、Ｖ相用ノイズフィルタ１５ｖ、Ｗ相用ノイズフィルタ１５ｗとを備えている。そして、各ノイズフィルタ１５ｕ，１５ｖ，１５ｗは、絶縁層１３ｕ，１３ｖ，１３ｗを挟んでＵ相線１２ｕ、Ｖ相線１２ｖ及びＷ相線１２ｗと対応するように配され、各相線１２ｕ，１２ｖ，１２ｗとの間にＵ相用コンデンサ１６ｕ、Ｖ相用コンデンサ１６ｖ、Ｗ相用コンデンサ１６ｗの電極を構成する導体層１７と、導体層１７の外周に重ねられてＵ相用インダクタ２２ｕ、Ｖ相用インダクタ２２ｖ、Ｗ相用インダクタ２２ｗを構成する磁性体層２０とを備えている。この構成によれば、上述のようにしてコンデンサ１６ｕ，１６ｖ，１６ｗの静電容量を設定するとともにインダクタ２２ｕ，２２ｖ，２２ｗのインダクタンスを設定すれば、ＬＣ共振により特定の周波数帯域のサージノイズを効果的に低減することができる。
【００２９】
また、ノイズフィルタ１５ｕ，１５ｖ，１５ｗは、テープ状をなしていてＵ相線１２ｕ（Ｕ相被覆電線１１ｕ）、Ｖ相線１２ｖ（Ｖ相被覆電線１１ｖ）、Ｗ相線１２ｗ（Ｗ相被覆電線１１ｗ）に螺旋状に巻き付けられている。この構成によれば、ノイズフィルタ１５ｕ，１５ｖ，１５ｗでＵ相線１２ｕ、Ｖ相線１２ｖ、Ｗ相線１２ｗを包囲する範囲が長い場合でも、テープ状のノイズフィルタ１５ｕ，１５ｖ，１５ｗをＵ相被覆電線１１ｕ、Ｖ相被覆電線１１ｖ、Ｗ相被覆電線１１ｗに螺旋状に巻き付けるだけでよいので、作業性に優れている。また、ノイズフィルタ１５ｕ，１５ｖ，１５ｗをテープ状としたことにより、各相線１２ｕ，１２ｖ，１２ｗ（被覆電線１１ｕ，１１ｖ，１１ｗ）の屈曲変形に対応することが可能となっている。
【００３０】
また、導体層１７には、その一方の側縁部１７Ｒから延出して磁性体層２０の側縁部２１Ｒの外面を覆う折返部１８Ｒが形成されている。そして、導体層１７のうち先に巻き付けられている領域の折返部１８Ｒの外面に対し、導体層１７のうち後に巻き付けられる領域における折返部１８Ｒとは反対側の側縁部１７Ｌの内面が重なった状態で接触している。この構成によれば、ノイズフィルタ１５ｕ，１５ｖ，１５ｗを螺旋巻きした状態で導体層１７同士を確実に接触させることができる。
【００３１】
また、導電路本体（Ｕ相線１２ｕ、Ｖ相線１２ｖ、Ｗ相線１２ｗ）とノイズフィルタ１５ｕ，１５ｖ，１５ｗは、筒状のシールド層２３によって一括して包囲されている。また、モータケース３１とインバータケース３５は、シールド層２３によって接続されている。尚、モータケース３１とインバータケース３５を接続する導通手段は、シールド層２３に限らず、撚り線、単芯線、車両ボディ等であってもよい。
【００３２】
＜実施例２＞
次に、本発明を具体化した実施例２を図４〜図５を参照して説明する。本実施例２のノイズフィルタ付き導電路Ｂは、ノイズフィルタ４０ｕ，４０ｖ，４０ｗを上記実施例１とは異なる構成としたものである。その他の構成については上記実施例１と同じであるため、同じ構成については、同一符号を付し、構造、作用及び効果の説明は省略する。
【００３３】
本実施例２のＵ相用ノイズフィルタ４０ｕ、Ｖ相用ノイズフィルタ４０ｖ、Ｗ相用ノイズフィルタ４０ｗは、テープ状ではなく方形のシート状をなしているが、折返部４２が形成された導体層４１の外周に磁性体層４３を重ねて一体化した構成は、実施例１のノイズフィルタ１５ｕ，１５ｖ，１５ｗと同じである。導体層４１は、Ｕ相線１２ｕ、Ｖ相線１２ｖ、Ｗ相線１２ｗと共に電極となってＵ相用コンデンサ４４ｕ、Ｖ相用コンデンサ４４ｖ、Ｗ相用コンデンサ４４ｗを構成する。また、磁性体層４３は、Ｕ相用インダクタ４５ｕ、Ｖ相用インダクタ４５ｖ、Ｗ相用インダクタ４５ｗを構成する。
【００３４】
各ノイズフィルタ４０ｕ，４０ｖ，４０ｗの長辺は、Ｕ相被覆電線１１ｕ、Ｖ相被覆電線１１ｖ、Ｗ相被覆電線１１ｗのうちノイズフィルタ４０ｕ，４０ｖ，４０ｗで包囲すべき領域の長さと同じ寸法に設定されている。また、各ノイズフィルタ４０ｕ，４０ｖ，４０ｗの短辺は、各被覆電線１１ｕ，１１ｖ，１１ｗの周長と同じ寸法に設定されている。そして、これらのノイズフィルタ４０ｕ，４０ｖ，４０ｗは、各被覆電線１１ｕ，１１ｖ，１１ｗの外周に個別に巻き付けられることで筒状に成形されている。ノイズフィルタ４０ｕ，４０ｖ，４０ｗを被覆電線１１ｕ，１１ｖ，１１ｗに巻き付けた状態では、導体層４１の内面の全領域を絶縁被覆１３ｕ，１３ｖ，１３ｗの外周面に密着させてもよく、密着させなくてもよい。
【００３５】
＜実施例３＞
次に、本発明を具体化した実施例３を図６〜図７を参照して説明する。本実施例３のノイズフィルタ付き導電路Ｃは、ノイズフィルタ５０を上記実施例１とは異なる構成としたものである。その他の構成については上記実施例１，２と同じであるため、同じ構成については、同一符号を付し、構造、作用及び効果の説明は省略する。
【００３６】
本実施例３では、１つのノイズフィルタ５０でＵ相被覆電線１１ｕ（Ｕ相線１２ｕ）、Ｖ相被覆電線１１ｖ（Ｖ相線１２ｖ）、Ｗ相被覆電線１１ｗ（Ｗ相線１２ｗ）を一括して包囲している。尚、図６では、便宜上、Ｕ相被覆電線１１ｕとＶ相被覆電線１１ｖとＷ相被覆電線１１ｗが離間しているように描かれているが、これら３本の被覆電線１１ｕ，１１ｖ，１１ｗは、横並び又は俵積み状に並列配索されている。
【００３７】
ノイズフィルタ５０は、実施例１のノイズフィルタ１５ｕ，１５ｖ，１５ｗと同様、折返部５２が形成された導体層５１の外周に磁性体層５３を重ねて一体化したものであり、テープ状をなしている。導体層５１は、Ｕ相線１２ｕ、Ｖ相線１２ｖ、Ｗ相線１２ｗと共に電極となってコンデンサ５４を構成する。尚、コンデンサ５４は、構造物としては１つのように見受けられるが、回路としては３つのコンデンサ５４が並列した回路構成となっている。また、磁性体層５３はインダクタ５５を構成する。ノイズフィルタ５０は、実施例１と同様、Ｕ相被覆電線１１ｕ、Ｖ相被覆電線１１ｖ、Ｗ相被覆電線１１ｗに対し螺旋巻きすることによって筒状に成形されている。
【００３８】
＜実施例４＞
次に、本発明を具体化した実施例４を図８〜図９を参照して説明する。本実施例４のノイズフィルタ付き導電路Ｄは、ノイズフィルタ６０を上記実施例１〜３とは異なる構成としたものである。その他の構成については上記実施例１〜３と同じであるため、同じ構成については、同一符号を付し、構造、作用及び効果の説明は省略する。
【００３９】
本実施例４でも、実施例３と同様、１つのノイズフィルタ６０でＵ相被覆電線１１ｕ（Ｕ相線１２ｕ）、Ｖ相被覆電線１１ｖ（Ｖ相線１２ｖ）、Ｗ相被覆電線１１ｗ（Ｗ相線１２ｗ）を一括して包囲している。尚、図８では、便宜上、Ｕ相被覆電線１１ｕとＶ相被覆電線１１ｖとＷ相被覆電線１１ｗが離間しているように描かれているが、これら３本の被覆電線１１ｕ，１１ｖ，１１ｗは、横並び又は俵積み状に並列配索されている。
【００４０】
ノイズフィルタは、実施例２と同様、方形のシート状をなし、折返部６２が形成された導体層６１の外周に磁性体層６３を重ねて一体化した構成である。導体層６１は、Ｕ相線１２ｕ、Ｖ相線１２ｖ、Ｗ相線１２ｗと共に電極となってコンデンサ６４を構成する。尚、コンデンサ６４は、構造物としては１つのように見受けられるが、回路としては３つのコンデンサ６４が並列した回路構成となっている。また、磁性体層６３は、インダクタ６５を構成する。
【００４１】
ノイズフィルタ６０の長辺は、Ｕ相被覆電線１１ｕ、Ｖ相被覆電線１１ｖ、Ｗ相被覆電線１１ｗのうちノイズフィルタ６０で包囲すべき領域の長さと同じ寸法に設定されている。また、ノイズフィルタ６０の短辺は、束ねた状態の３本の被覆電線１１ｕ，１１ｖ，１１ｗに対し外接して一周し得る長さに設定されている。そして、このノイズフィルタ６０は、３本の被覆電線１１ｕ，１１ｖ，１１ｗの外周に一括して巻き付けられることで筒状に成形されている。ノイズフィルタ６０を被覆電線１１ｕ，１１ｖ，１１ｗに巻き付けた状態では、導体層６１の内面の一部が、３本の絶縁被覆１３ｕ，１３ｖ，１３ｗの外周面の一部に密着させてもよく、密着させなくてもよい。
【００４２】
＜他の実施例＞
本発明は上記記述及び図面によって説明した実施例に限定されるものではなく、例えば次のような実施例も本発明の技術的範囲に含まれる。  
（１）上記実施例１〜４では、導体層の両側縁から一対の折返部を延出させたが、折返部は、導体層の両側縁部のうちいずれか一方の側縁部だけから延出させてもよい。  
（２）上記実施例１〜４では、導体層の両側縁部から折り返し状の折返部を形成したが、このような折返部を形成しない形態としてもよい。  
（３）上記実施例１〜４では、複数本の導電路本体とノイズフィルタをシールド層により一括して包囲したが、このようなシールド層を設けない形態であってもよい。  
（４）上記実施例１〜４では、三相交流回路を構成する３本の導電路本体がスター結線されているが、本発明は、三相交流回路を構成する３本の導電路本体がデルタ結線されている場合にも適用できる。  
（５）上記実施例１〜４では、３本の導電路本体が三相交流回路を構成するものであったが、本発明は、導電路本体が三相交流回路を構成しないものである場合にも適用できる。  
（６）上記実施例１〜４では、導電路本体を３本としたが、本発明は、導電路本体の本数が１本、２本、又は４本以上である場合にも適用できる。  
（７）上記実施例１〜４では、導電路本体が可撓性を有する円形断面の撚り線であるが、導電路本体は、容易に変形しないバスバーや、複数本の電線を並行配置したフラットケーブル等であってもよい。  
（８）上記実施例１〜４では、ノイズフィルタ付き導電路が、モータとインバータ装置との間に配索されるものであったが、本発明は、モータやインバータ装置以外の機器に接続される場合にも適用できる。  
（９）上記実施例１〜４では、導体層用接続線をモータケースに接続したが、導体層用接続線は、モータケースではなく、車両ボディに、直接、接続してもよい。  
（１０）上記実施例１〜４では、ノイズフィルタが導電路本体に巻き付けるようになっているが、ノイズフィルタが筒状に成形されたものであり、筒状のノイズフィルタに導電路本体を挿通するようにしてもよい。  
（１１）上記実施例１〜４では、導体層が導電路本体に対し全周に亘って包囲するように対応しているが、導体層は、導電路本体に対し周方向における一部の領域のみと対応する形態であってもよい。  
（１２）上記実施例１〜４では、導体層をテープ状又はシート状の金属箔としたが、これに限らず、導体層は、編組線、シート状芯材又はテープ状芯材の表面にメッキ処理したもの、シート状又はテープ状の導電性樹脂、シート状又はテープ状の導電性ゴム等からなっていてもよい。
（１３）上記実施例１〜４では、インダクタをモータ側のみに配置し、そのインダクタをモータケースのみに接続したが、モータ側のインダクタの他に、インバータ装置側にもインダクタを設け、そのインバータ装置側に設けたインダクタをインバータケースに接続してもよい。
【符号の説明】
【００４３】
Ａ、Ｂ、Ｃ、Ｄ…ノイズフィルタ付き導電路
１２ｕ…Ｕ相線（導電路本体）
１２ｖ…Ｖ相線（導電路本体）
１２ｗ…Ｗ相線（導電路本体）
１３ｕ…Ｕ相用絶縁被覆（絶縁層）
１３ｖ…Ｖ相用絶縁被覆（絶縁層）
１３ｗ…Ｗ相用絶縁被覆（絶縁層）
１５ｕ、４０ｕ…Ｕ相用ノイズフィルタ（ノイズフィルタ）
１５ｖ、４０ｖ…Ｖ相用ノイズフィルタ（ノイズフィルタ）
１５ｗ、４０ｗ…Ｗ相用ノイズフィルタ（ノイズフィルタ）
１６ｕ、４４ｕ…Ｕ相用コンデンサ（コンデンサ）
１６ｖ、４４ｖ…Ｖ相用コンデンサ（コンデンサ）
１６ｗ、４４ｗ…Ｗ相用コンデンサ（コンデンサ）
１７、４１、５１、６１…導体層
１７Ｌ…導体層における折返部とは反対側の側縁部
１７Ｒ…導体層の一方の側縁部
１８Ｌ，１８Ｒ、４２、５２、６２…折返部
２０、４３、５３、６３…磁性体層
２１Ｒ…磁性体層の側縁部
２２ｕ、４５ｕ…Ｕ相用インダクタ（インダクタ）
２２ｖ、４５ｖ…Ｖ相用インダクタ（インダクタ）
２２ｗ、４５ｗ…Ｗ相用インダクタ（インダクタ）
５０、６０…ノイズフィルタ
５４、６４…コンデンサ
５５、６５…インダクタ
【図１】
2017022517.tif 000003
【図２】
2017022517.tif 000004
【図３】
2017022517.tif 000005
【図４】
2017022517.tif 000006
【図５】
2017022517.tif 000007
【図６】
2017022517.tif 000008
【図７】
2017022517.tif 000009
【図８】
2017022517.tif 000010
【図９】
2017022517.tif 000011